(57)【要約】      （修正有）【課題】外観上おむつを装着しているようにはみえず、おむつに手を突っ込む不潔行為を阻止でき、且つ容易に取り替えが可能な新規なおむつ着用者下着を提供する。【解決手段】上衣部Ａとパンツ部Ｂとを一体化したおむつ着用者用下着において、Ａの前身頃における中央部に襟裾から腹部まで達する上下方向のオープンファスナーＣ、及びＢの片方の裾から股間部を通りもう一方の裾に達するオープンファスナーＤを設けてなるおむつ着用者用下着である。【選択図】図１
2004256985.tif 000002
【特許請求の範囲】
【請求項１】
上衣部（Ａ）とパンツ部（Ｂ）とを一体化したおむつ着用者用下着において、該（Ａ）の前身頃における中央部に襟裾から腹部まで達する上下方向のオープンファスナー（Ｃ）、及び該Ｂの片方の裾から股間部を通りもう一方の裾に達するオープンファスナー（Ｄ）を設けてなることを特徴とするおむつ着用者用下着。
【請求項２】
前記（Ｃ）と（Ｄ）が接触していないことを特徴とする請求項１記載のおむつ着用者用下着。
【請求項３】
前記おむつ着用者用下着を着用した場合に、前記（Ｂ）の両裾の先端が該おむつ着用者の膝部より上にあることを特徴とする請求項１〜３の何れか記載のおむつ着用者用下着。
【発明の詳細な説明】
【技術分野】
【０００１】  本発明は、おむつ着用者用下着に関する。さらに詳しくは、外観上おむつを着用しているようには見えず、不潔にならない新規なおむつ着用者用下着に関する。
【背景技術】
【０００２】  従来の外観上おむつを装着しているようにはみえないおむつ着用者下着としては、筒形身頃の上端縁に弾性ウエスト・バンドを逢着し、この身頃の左右脇線を分断すると共に、止め具を介して、その前後の分断縁線を着脱自在に係止可能としてパンツ本体と、前記パンツ本体の内面に設けた伸縮性・通気性おむつ支持帯とからなる介護用パンツが提案されている（例えば、特許文献１）。
【特許文献１】  特開２０００−４５１０１号公報
【発明の開示】
【発明が解決しようとする課題】
【０００３】  しかしながら、この介護用パンツは、上端縁が弾性ウエスト・バンドを逢着しているので、痴呆者であったり、又はそうでなくても無意識のうちにおむつの上端縁から手をつっこみ不潔な行為が生じるという問題があり、これは関係者では大変なことであった。
本発明の目的は、外観上おむつを装着しているようにはみえず、おむつに手を突っ込む不潔行為を阻止でき、且つ容易に取り替えが可能な新規なおむつ着用者下着を提供することである。
【課題を解決するための手段】
【０００４】  本発明者は、上記問題を解決すべく鋭意検討した結果、本発明に到達した。
すなわち、上衣部（Ａ）とパンツ部（Ｂ）とを一体化したおむつ着用者用下着において、該（Ａ）の前身頃における中央部に襟裾から腹部まで達する上下方向のオープンファスナー（Ｃ）、及び該Ｂの片方の裾から股間部を通りもう一方の裾に達するオープンファスナー（Ｄ）を設けてなることを特徴とするおむつ着用者用下着である。
【発明の効果】
【０００５】  本発明のおむつ着用者用下着は下記の効果を奏する。
（１）上衣部とパンツ部が一体化しており、ファスナー（Ｄ）が開いていない限り手を入れることができないので、本発明の下着着用時にはおむつの中に手を突っ込む等の不潔行為が阻止できる。
（２）おむつの上から本発明の下着を着用しても、外観上おむつを着用している様にはみえない。この上から外出着を着用して外出してもおむつを着用している様には見えない。
（３）該下着の着脱は、寝たままでも立ったままでも、補助者はもちろん着用者本人でも自由に且つ容易にできる。また、着用したままでおむつの交換も可能である。
（４）市販のファスナーが使用できるのでコスト的にも安価である。
【発明を実施するための最良の形態】
【０００６】  本発明において、上衣部（Ａ）は通常のシャツ等に相当するものであり、その袖の長さは任意である。この中には半袖、長袖はもちろんランニングの様な無袖のものも含まれる。襟の大きさ、形等も任意でよいが、通常の下着と同じ大きさ、形のものが好ましい。
パンツ部（Ｂ）は通常のパンツに相当するものであり、裾の長さも任意であるが、好ましくは裾の先端が着用者の膝までのものであり、より好ましくは膝上１０〜１５ｃｍ（又は股下が好ましくは２０〜３０ｃｍ）までのものである。またパンツ部の裾の左右両側縁にはギャザーが施されていても良い。
そして、この上衣部とパンツ部は一体化してなるものである。具体的には、図１の様に全く隙間なく一体化したものでもよく、上衣とパンツを糸や布等で結合する形で隙間が存在していてもよいが、その隙間は着用者の手や手首が入る大きさのものであってはならない。手や手首が隙間から入るとおむつの中に手が入り不潔行為が発生するからである。また一体化した本発明の下着には腰部にはフィットさせるためにギャザー等を施してもよい。本発明のおむつ着用者用下着はパジャマではなく下着であるから通常の下着に使用する綿１００％、綿／エステルの混紡等の織物、編物が好ましく用いられる。より好ましくは、上記の素材の織物である。【０００７】  以下、この発明の実施形態を添付図面に基づいて説明する。
図１の様に、上衣部（Ａ）の前身頃における中央部に襟裾から腹部まで達する上下方向のオープンファスナー（Ｃ）を設ける。襟裾部にオープンファスナー（Ｃ）の先端挿入部を設け腹部まで開襟することができる様な構成とする。オープンファスナー（Ｃ）の大きさ、形等も任意であるが、ファスナーは着衣の柔軟性を損ないやすく、着用者には感触的に好ましくないので、プラスチック製のものでより小さくより柔軟なものが好ましい。オープンファスナー（Ｃ）の長さは本発明の下着を着用するためにはより長い方がよいが、上記着用感からファスナーは短い程よく、そのバランスから（Ｃ）の下の先端は着用者の臍の上下１０〜１５ｃｍのところが好ましい。
また、該パンツ部（Ｂ）においては、片方の裾から股間部を通りもう一方の裾に達するオープンファスナー（Ｄ）を設ける。どちらかの裾にファスナー先端挿入部を設け、もう一方の裾まで開くことができる。股間部とは股間及びそこから上の好ましくは５〜１５ｃｍの部分までをさす。【０００８】  さらにオープンファスナー（Ｃ）とオープンファスナー（Ｄ）は接触結合していてもよいが、接触していなくてもよい。好ましくは（Ｃ）と（Ｄ）は接触していないものである。接触していないとファスナー結合部がなく下着としてより感触が良く、本発明の下着の作製がより容易となるからである。（Ｃ）と（Ｄ）が接触していない場合には、（Ｄ）の最上端と（Ｃ）と最下端の距離は好ましくは５〜１５ｃｍであり、より好ましくは６〜１０ｃｍであり、特に好ましくは７〜９ｃｍである。上記のオープンファスナーは市販品が適用できる。（Ｃ）と（Ｄ）を結合する場合には市販のファスナー結合部材を用いるのが好ましい。また結合部材は嵩張るのでその上から布等で被覆するのが好ましい。【０００９】  本発明の下着を着用する場合には、図２の様にオープンファスナー（Ｃ）とオープンファスナー（Ｄ）を全開した状態で着用者の身体を上か下から下着の中央の輪をくぐらせる。その後にファスナーを閉じればよい。その上から通常のパジャマや上着や外出着を着れば外観上おむつを着用している様にはみえず、また痴呆者であったり、又はそうでなくても無意識のうちにおむつの上端縁から手をつっこみ不潔な行為が生じるということはなくなる。高齢者でおむつを着用しなければならなくなったりした場合に、本発明の下着を着用すればおむつを着用している様にはみえず、自尊心を傷つけることなく安心して人前にでることができ、高齢者も社会生活を継続することができる。
【産業上の利用可能性】
【００１０】  本発明のおむつ着用者用下着は、痴呆者、高齢者、障害者等のおむつ着用者の下着として非常に有用である。
【図面の簡単な説明】
【００１１】
【図１】本発明のおむつ着用者下着の一実施例を示す正面図
【図２】同上のオープンファスナーを開いた状態の正面図
【図３】同上の一実施例を示す背面図
【符号の説明】
【００１２】Ａ．上衣部
Ｂ．パンツ部
Ｃ．オープンファスナー
Ｄ．オープンファスナー
Ｅ．ギャザー
Ｆ．ギャザー
【図１】
2004256985.tif 000003
【図２】
2004256985.tif 000004
【図３】
2004256985.tif 000005